(57)【要約】      （修正有）【課題】一般使用者がマルチメディア機器を通じて手軽に風水理論による吉凶判断ができ、ポータブルマルチメディア機器を活用してオンライン上で吉凶判断が可能で直観性と携帯性を向上させた風水情報処理装置及び風水情報処理方法を提供する。【解決手段】風水情報処理装置は、入力値による風水情報を出力して風水情報の判断基準が保存される風水情報データベース１２３、使用者側に用意されて上記入力値を上記使用者から入力を受け上記風水情報データベースに伝達し、上記風水情報データベースから出力された上記風水情報をディスプレー部１０６に表示するマルチメディア機器１００を含む。【選択図】図１
2012185795.tif 000002
【特許請求の範囲】
【請求項１】
入力値による風水情報を出力して風水情報の判断基準が保存される風水情報データベース；
使用者側に用意され、上記入力値を上記使用者から入力を受け上記風水情報データベースに伝達し、上記風水情報データベースから出力される上記風水情報をディスプレー部に表示するマルチメディア機器；を含む風水情報処理装置。
【請求項２】
上記風水情報データベースは九宮法ＤＢを含み、
上記九宮法ＤＢは引越しする人本人の生年月日、性別、引越し年度を上記入力値として入手し、上記引越しする人本人の縁起の良い引越し方向を出力値として上記ディスプレー部に表示する請求項１に記載の風水情報処理装置。
【請求項３】
上記九宮法ＤＢは該当の引越し年度の民暦データの中で引越し方位一覧表を含む請求項１に記載の風水情報処理装置。
【請求項４】
上記風水情報データベースは東西私宅ＤＢを含み、
上記東西私宅ＤＢは引越しする人本人の生年月日と性別を上記入力値として入力を受け、上記引越しする人の縁起の良い引越し方向を出力値として上記ディスプレー部に表示する請求項１に記載の風水情報処理装置。
【請求項５】
上記東西私宅ＤＢは上記引越しする人本人の本命宮に対応する縁起の良い本命宮を抽出して、上記縁起の良い本命宮に対し上記縁起の良い引越し方向を抽出し、上記引越しする人の生年月日によって男の本命宮及び女の本命宮を区分して保存し、上記生年月日または性別による吉凶方向を上記縁起の良い引越し方向として出力する請求項４に記載の風水情報処理装置。
【請求項６】
上記風水情報データベースは東西私宅ＤＢを含み、
上記東西私宅ＤＢは建物の正門の方位が入力されれば、上記正門の方位に対して縁起の良い奥座敷門方向または縁起の良い社長室門方向を上記ディスプレー部に表示する請求項１に記載の風水情報処理装置。
【請求項７】
上記風水情報データベースは東西私宅ＤＢを含み、
奥座敷門方位が上記東西私宅ＤＢに入力されれば縁起の良い奥座敷ベッド方向が上記東西私宅ＤＢから出力され、
勉強ルーム門方位が上記東西私宅ＤＢに入力されれば縁起の良い勉強ルーム机方向が上記東西私宅ＤＢから出力され、
社長室門方位が上記東西私宅ＤＢに入力されれば縁起の良い社長室机方向が上記東西私宅ＤＢから出力される請求項１に記載の風水情報処理装置。
【請求項８】
上記風水情報データベースは玄空風水ＤＢを含み、
上記玄空風水ＤＢに建物の完工年度、建物の坐向が入力されれば、上記玄空風水ＤＢは上記建物の完工年度または上記建物の坐向によって上記建物の風水情報を出力する請求項１に記載の風水情報処理装置。
【請求項９】
上記風水情報データベースは玄空風水ＤＢを含み、
上記玄空風水ＤＢに建物の完工年度または建物の坐向が入力されれば、上記玄空風水ＤＢは上記建物の完工年度または上記建物の坐向から上記建物の宅命盤を抽出して、上記建物の宅命盤を基礎に上記建物の風水情報を出力する請求項１に記載の風水情報処理装置。
【請求項１０】
上記入力値及び出力値は地図モード、電子羅盤モード、文字、数字、絵の中で少なくとも１つによって上記マルチメディア機器に入力されるか上記ディスプレー部に表示され、
上記地図モードは上記ディスプレー部に地図を表示するモードであり、
上記電子羅盤モードは上記マルチメディア機器に内蔵した  ＧＰＳを利用して上記マルチメディア機器を羅針盤でシミュレーションさせるモードである請求項１に記載の風水情報処理装置。
【請求項１１】
マルチメディア機器が位置した  現在地の地図をディスプレーする地図モードが実行され、
上記地図モードで上記  現在地に設置された建物の坐向が入力されれば、住居用建物または業務用建物の風水情報が上記マルチメディア機器に出力される風水情報処理装置。
【請求項１２】
ディスプレー部に電子羅盤が表示されるようにマルチメディア機器で電子羅盤モードが実行され、
上記電子羅盤モードは上記マルチメディア機器に内蔵された  ＧＰＳを利用して上記マルチメディア機器を羅針盤でシミュレーションさせるモードであり、
上記マルチメディア機器が位置した現在地で上記マルチメディア機器を回転させるか移動させ上記電子羅盤で建物の正面方向を示せば、上記建物の坐向が上記マルチメディア機器に入力され、
上記建物の坐向が入力されれば住居用建物または業務用建物の風水情報が上記マルチメディア機器に出力される風水情報処理装置。
【請求項１３】
マルチメディア機器が位置した現在地の他の場所に存在する建物の坐向を上記マルチメディア機器に入力するために、ディスプレー部に上記建物が存在する住所の地図をディスプレーする地図モードが実行され、
上記地図モードは特定住所に存在する建物及び上記建物周辺の地図情報を表示して、
上記地図モードに表示された矢印をクリックまたはドラッグして上記建物の正面方向と一致させれば上記建物の坐向が入力され、
上記建物の坐向が入力されれば住居用建物または業務用建物の風水情報が上記マルチメディア機器に出力される風水情報処理装置。
【請求項１４】
使用者の生年月日、引越し年度、性別の中で少なくとも１つをマルチメディア機器に入力すれば上記使用者の縁起の良い引越し方向が出力値として上記マルチメディア機器の地図に表示される風水情報処理装置。
【請求項１５】
風水情報を出力して風水情報の判断基準を保存する風水情報データベースまたは上記風水情報を処理する風水情報ソフトウェアを含むアプリサーバー；
地図情報を保存するデータベースまたはマルチメディア機器の要請にあたる地図情報を検索する地図検索部を含む地図サーバー；
上記アプリサーバーに接続されて上記風水情報データベースまたは上記風水情報ソフトウェアをダウンロードし、上記地図サーバーに接続され上記地図情報をダウンロードし、ダウンロードされた上記風水情報データベース、上記風水情報ソフトウェア、上記地図情報の中で少なくとも１つを駆動して、使用者側の入力によって風水情報をディスプレー部に出力するマルチメディア機器；を含む風水情報処理装置。
【請求項１６】
上記マルチメディア機器は、
上記マルチメディア機器のＧＰＳ位置に対応する地図情報、電子羅盤、八方位図の中少なくとも１つを上記地図サーバーからダウンロードするか、上記マルチメディア機器に入力された住所に対応される地図情報、電子羅盤、八方位図の中少なくとも１つを上記地図サーバーからダウンロードし、
地図モードが実行される時、上記地図情報を上記ディスプレー部に表示し、
電子羅盤モードが実行される時、上記電子羅盤を上記ディスプレー部に表示する請求項１５に記載の風水情報処理装置。
【請求項１７】
建物風水情報を出力値にする建物風水メニュー及び縁起の良い引越し方向を出力値にする引越し方向メニューの中でいずれが選択されたのか判断する第１判断部；
上記建物風水メニュー選択の時、住居用建物に対する風水情報を出力値にする住居用メニュー及び業務用建物に対する風水情報を出力値にする業務用メニューの中でいずれが選択されたのか判断する第２判断部；
上記建物風水メニュー選択の時、上記建物風水情報の判断基準として東西私宅ＤＢを利用する東西私宅メニュー及び玄空風水ＤＢを利用する玄空風水メニューの中でいずれが選択されたのか判断する第３判断部；
上記引越し方向メニュー選択の時、上記縁起の良い引越し方向の判断基準として九宮法ＤＢを利用する九宮法メニュー及び上記東西私宅ＤＢを利用する上記東西私宅メニューの中でいずれが選択されたのか判断する第４判断部；中少なくとも１つを含んで、
各メニューの選択に対応される風水情報を出力する風水情報処理装置。
【請求項１８】
ディスプレー部を具備したマルチメディア機器を通じて、建物の風水情報を提供するメニューを選択する段階；
上記マルチメディア機器に内蔵した電子羅盤の針を上記マルチメディア機器の縦方向または横方向に位置させ、上記電子羅盤の針を利用して建物の玄関門、奥座敷門または勉強ルーム門方位を入力する段階；
上記マルチメディア機器にダウンロードされた風水情報データベースから上記入力された玄関門方位に対する縁起の良い奥座敷門方位、上記奥座敷門方位に対する奥座敷ベッド方位、上記勉強ルーム門方位に縁起の良い勉強ルーム机方位を上記ディスプレー部に表示する段階；を含む風水情報処理方法。
【発明の詳細な説明】
【技術分野】
【０００１】
本発明はマルチメディア機器を利用して風水情報を処理する装置及び方法に関する。
【背景技術】
【０００２】
東西私宅論、陰陽は、五行論の風水理論は韓国で広く知られた風水理論であり、一度明堂だと確定されれば永遠な明堂として区分する風水理論である。玄空風水は中国、香港、台湾、シンガポールなどで広く知られた風水理論であり、決まった期間に制限して明堂を区分する風水理論である。
【０００３】
しかしこのような風水理論は一般使用者がその論理構造を理解しにくく、実際風水理論による吉凶判断の際、風水専門家の現場訪問が要求される不便さがあった。
【発明の概要】
【発明が解決しようとする課題】
【０００４】
本発明はこれを改善するためのものとし、一般使用者がマルチメディア機器を通じて手軽に風水理論による吉凶判断ができ、ポータブルマルチメディア機器を活用してオンライン上で吉凶判断が可能で直観性と携帯性を向上させた風水情報処理装置及び風水情報処理方法を提供するためのものである。
【課題を解決するための手段】
【０００５】
一実試例として、本発明の風水情報処理装置は、入力値による風水情報を出力して風水情報の判断基準が保存される風水情報データベース；使用者側に用意されて上記入力値を上記使用者から入力を受け上記風水情報データベースに伝達し、上記風水情報データベースから出力された上記風水情報をディスプレー部に表示するマルチメディア機器；を含む。
【０００６】
一実試例として、本発明の風水情報処理装置は、マルチメディア機器が位置する現在地の地図をディスプレーする地図モードが実行され、上記地図モードで上記現在地に設置された建物の坐向が入力されれば、住居用建物または業務用建物の風水情報が上記マルチメディア機器に出力される。
【０００７】
一実試例として、本発明の風水情報処理装置は、ディスプレー部に電子羅盤が表示されるようマルチメディア機器に電子羅盤モードが実行され、上記電子羅盤モードは上記マルチメディア機器に内蔵したＧＰＳを利用して上記マルチメディア機器を羅針盤でシミュレーションさせるモードであり、上記マルチメディア機器が位置する現在地で上記マルチメディア機器を回転させるか移動させることにより上記電子羅盤で建物の正面方向を示せば、上記建物の坐向が上記マルチメディア機器に入力され、上記建物の坐向が入力されれば住居用建物または業務用建物の風水情報が上記マルチメディア機器に出力される。
【０００８】
一実試例として、本発明の風水情報処理装置は、マルチメディア機器が位置する現在地の他の場所に存在する建物の坐向を上記マルチメディア機器に入力するために、ディスプレー部に上記建物が存在する住所の地図をディスプレーする地図モードが実行され、上記地図モードは特定住所に存在する建物及び上記建物周辺の地図情報を表示し、上記地図モードに表示された矢印をクリックまたはドラッグして上記建物の正面方向と一致させれば上記建物の坐向が入力され、上記建物の坐向が入力されれば住居用建物または業務用建物の風水情報が上記マルチメディア機器に出力される。
【０００９】
一実試例として、本発明の風水情報処理装置は、使用者の生年月日、引越し年度、性別の中で少なくとも１つをマルチメディア機器に入力すれば上記使用者の縁起の良い引越し方向が出力値として上記マルチメディア機器の地図に表示される。
【００１０】
一実試例として、本発明の風水情報処理装置は、風水情報を出力し風水情報の判断基準を保存する風水情報データベースまたは上記風水情報を処理する風水情報ソフトウェアを含むアプリサーバー；地図情報を保存するデータベースまたはマルチメディア機器の要請にあたる地図情報を検索する地図検索部を含む地図サーバー；上記アプリサーバーに接続されて上記風水情報データベースまたは上記風水情報ソフトウェアをダウンロードし、上記地図サーバーに接続され上記地図情報をダウンロードして、ダウンロードされた上記風水情報データベース、上記風水情報ソフトウェア、上記地図情報の中で少なくとも１つを駆動し、使用者側の入力によって風水情報をディスプレー部に出力するマルチメディア機器；を含む。
【００１１】
一実試例として、本発明の風水情報処理装置は、建物風水情報を出力値とする建物風水メニュー及び縁起の良い引越し方向を出力値とする引越し方向メニューの中でいずれが選択されたのか判断する第１判断部；上記建物風水メニュー選択の時、住居用建物に対する風水情報を出力値とする住居用メニュー及び業務用建物に対する風水情報を出力値とする業務用メニューの中でいずれが選択されたのか判断する第２判断部；上記建物風水メニュー選択の時、上記建物風水情報の判断基準として東西私宅ＤＢを利用する東西私宅メニュー及び玄空風水ＤＢを利用する玄空風水メニューの中でいずれが選択されたのか判断する第３判断部；上記引越し方向メニュー選択の時、上記縁起の良い引越し方向の判断基準として九宮法ＤＢを利用する九宮法メニュー及び上記東西私宅ＤＢを利用する上記東西私宅メニューの中でいずれが選択されたのか判断する第４判断部；の中少なくとも１つを含んで、各メニューの選択に対応する風水情報を出力する。
【００１２】
一実試例として、本発明の風水情報処理方法は、ディスプレー部を具備したマルチメディア機器を通じて、建物の風水情報を提供するメニューを選択する段階；上記マルチメディア機器に内蔵した電子羅盤の針を上記マルチメディア機器の縦方向または横方向に位置させ、上記電子羅盤の針を利用して建物の玄関門、奥座敷門または勉強ルーム門の方位を入力する段階；上記マルチメディア機器にダウンロードされた風水情報データベースから上記入力された玄関門方位に対する縁起の良い奥座敷門方位、上記奥座敷門方位に対する奥座敷ベッド方位、上記勉強ルーム門方位に縁起の良い勉強ルーム机方位を上記ディスプレー部に表示する段階；を含む。
【発明の効果】
【００１３】
本発明によれば、風水専門家の現場訪問なしに一般使用者も手軽に風水理論を日常生活に活用することができる。東西私宅論、陰陽論、五行論、九宮法及び玄空風水理論を含む風水地理理論に関するデータベース、サーバー、使用者側のマルチメディア機器をネットワークで連結する。上記データベースまたは上記データベースから風水情報を獲得することができる風水情報ソフトウェアが含まれたマルチメディア機器によって風水情報が使用者に便利に提供される。
【図面の簡単な説明】
【００１４】
【図１】本発明の風水情報処理装置のブロック図である。
【図２】本発明の一実施例として、東西私宅ＤＢを利用して縁起の良い奥座敷門方向表示を果たすそれぞれの手順図である。
【図３】本発明の一実施例として、縁起の良い奥座敷ベッド方向表示を果たすそれぞれの手順図である。
【図４】本発明の一実施例として、縁起の良い勉強ルーム机方向表示を果たすそれぞれの手順図である。
【図５】本発明の一実施例として、縁起の良い社長室方向表示を果たすそれぞれの手順図である。
【図６】本発明の一実施例として、縁起の良い社長室机方向表示を果たすそれぞれの手順図である。
【図７】本発明の一実施例として、図２の使用者インターフェースを順次図示する。
【図８】は、本発明の一実施例として、玄空風水ＤＢを利用し、多様な風水情報を表示するそれぞれの手順図である。
【図９】は、本発明の一実施例として、玄空風水ＤＢを利用し、多様な風水情報を表示するそれぞれの手順図である。
【図１０】は、本発明の一実施例として、玄空風水ＤＢを利用し、多様な風水情報を表示するそれぞれの手順図である。
【図１１】は、本発明の一実施例として、玄空風水ＤＢを利用し、多様な風水情報を表示するそれぞれの手順図である。
【図１２】は、本発明の一実施例として、玄空風水ＤＢを利用し、多様な風水情報を表示するそれぞれの手順図である。
【図１３】は、本発明の一実施例として、玄空風水ＤＢを利用し、多様な風水情報を表示するそれぞれの手順図である。
【図１４】図８の使用者インターフェースを順次図示する。
【図１５】図９の使用者インターフェースを順次図示する。
【図１６】図１０の使用者インターフェースを順次図示する。
【図１７】及び図１９は、九宮法ＤＢを利用して引越し方向を表示する手順図を図示する。
【図１８】東西私宅ＤＢを利用して引越し方向を表示する手順図を図示する。
【図１９】九宮法ＤＢを利用して引越し方向を表示する使用者インターフェースを図示する。
【図２０】東西私宅ＤＢを利用して引越し方向を表示する使用者インターフェースを図示する。
【図２１】本発明の一実施例として、多様な選択メニューが提供される風水情報ソフトウェアの手順図である。
【図２２】本発明の一実施例として、多様な選択メニューが提供される風水情報ソフトウェアの手順図である。
【図２３】本発明の一実施例として、多様な選択メニューが提供される風水情報ソフトウェアの手順図である。
【図２４】本発明の一実施例として、多様な選択メニューが提供される風水情報ソフトウェアの手順図である。
【発明を実施するための形態】
【００１５】
図１は本発明の風水情報処理装置のブロック図だ。これを参照すれば、風水情報処理装置はマルチメディア機器（１００）、アプリサーバー（１２０）、地図サーバー（１３０）を含む。
【００１６】
マルチメディア機器（１００）はディスプレー部（１０６）を具備し、インターネット網を通じてアプリサーバー（１２０）または地図サーバー（１３０）に接続することができる携帯電話、スマートフォン、ポータブルＴＶ、ポータブルＰＣは勿論、インターネット網に接続することができる家電機器としてスマートＴＶ、デジタルＴＶ、セットトップボックス、ＩＰＴＶなどを含む。
【００１７】
例えばマルチメディア機器（１００）がＴＶの場合、放送コンテンツ及び風水情報メニューを重ねてディスプレーすることができる。この時、風水情報メニューは透明または半透明に処理され、使用者は放送コンテンツを視聴しながら風水情報メニューを利用する。
【００１８】
マルチメディア機器（１００）は使用者入力を受けるキー入力部（１０１）、インターネットインターフェース部（１０２）、メモリー部（１０３）、マイクロコンピューター（１０５）、ディスプレー部（１０６）、ネットワークインターフェース部（１０７）中少なくとも１つを含む。
【００１９】
上記キー入力部（１０１）はＴＶのリモートコントローラーを含む。
【００２０】
インターネットインターフェース部（１０２）はアプリサーバー（１２０）とインターネットに接続されて風水情報データベース及び風水情報ソフトウェアをダウンロードする。また、インターネットインターフェース部（１０２）は、地図サーバー（１３０）に繋がれてマルチメディア機器（１００）のＧＰＳ位置に対応される地図情報、マルチメディア機器（１００）に入力された住所に対応する地図情報、電子羅盤、８方位図の中少なくとも１つをダウンロードする。
【００２１】
メモリー部（１０３）は風水情報データベース、風水情報ソフトウェア、ダウンロードしたデータを保存する。
【００２２】
マイクロコンピューター（１０５）は、風水情報ソフトウェアがインストールされ、風水情報データベースをアクセスする。風水情報データベースは、東西私宅ＤＢ、玄空風水ＤＢ、九宮法ＤＢの中で少なくとも１つを含む。風水情報メニューで入力窓を通じて使用者の入力が入手される。
【００２３】
マイクロコンピューター（１０５）は、入力窓を通じて入力された使用者の入力によって風水情報データベースから風水情報を検索し、風水情報ソフトウェアを駆動して判断された風水情報をディスプレー部（１０６）に表示する。
【００２４】
ネットワークインターフェース部（１０７）は他の機器との通信のため用意される。ネットワークインターフェース部（１０７）は上記マイクロコンピューター（１０５）によって上記少なくとも１つの風水情報をＴＶやＰＣを含む他の情報機器に送るか、上記他の情報機器から受信する。
【００２５】
地図サーバー（１３０）は、地図サーバーメインコンピューター（１３１）、地図に対する情報を消費者に提供するホームページ（１３２）、地図データベース（１３３）、地図サーバー（１３０）のアップデート等の地図サーバー（１３０）の管理のためのデータ入力部（１３４）、マルチメディア機器（１００）の要請にあたる地図を検索する地図検索部（１３５）の中少なくとも１つを含む。地図サーバー（１３０）で入手された地図情報はマルチメディア機器（１００）で地図モードが実行される時ディスプレー部（１０６）に表示される。
【００２６】
アプリサーバー（１２０）は、アプリストアメインコンピューター（１２１）、アプリサーバー（１２０）で販売するアプリケーションに対する情報を提供するホームページ（１２２）、アプリストアデータベース（１２３）、データ入力部（１２４）、アプリストアデータベース検索部（１２５）の中少なくとも１つを含む。アプリストアデータベース（１２３）は風水情報データベース、風水情報ソフトウェア、電子羅盤、八方位図の中少なくとも１つを保存する。データ入力部（１２４）はアプリサーバー（１２０）のデータアップデートを含んでアプリサーバー（１２０）の管理のためのものである。アプリストアデータベース検索部（１２５）はマルチメディア機器（１００）の要請の時アプリストアデータベース（１２３）に保存された情報を検索する。
【００２７】
地図サーバー（１３０）またはアプリサーバー（１２０）はインターネットポータルサイトサーバーになることができ、お互いに分離されたものと説明したが統合された１つのサーバーになっても関係ない。
【００２８】
風水情報は引越し方向の吉凶判断に関する引越し方向風水情報、建物風水の吉凶判断に関する建物風水情報の中で少なくとも１つを含む。
【００２９】
引越し方向風水情報は、九宮法、東西私宅論または玄空風水に基づいて判断されるものとし、引越し方向の吉凶判断に関する情報である。
【００３０】
建物風水情報は、玄空風水理論によって判断されるか、東西私宅論、陰陽論、五行論に基づいて判断される。建物風水情報は、住居用建物または営業用建物によって最適化された風水データを提供する。住居用建物の場合、住居用で縁起の良い建物になるための周辺の自然環境条件、縁起の良い大門の方位、縁起の良い奥座敷の方位、縁起の良い勉強ルームの方位、奥座敷内で縁起の良いベッドの方位、勉強ルーム内で縁起の良い机／椅子の方位の中で少なくとも１つに対する風水情報が提供される。営業用建物の場合、営業用で縁起の良い建物になるための周辺の自然環境条件、縁起の良い大門の方位、建物内で縁起の良い方位、事務室正門の方位に対する縁起の良い社長室門の方位、社長室門の方位に対する縁起の良い社長机／椅子の方位の中で少なくとも１つに対する風水情報が提供される。
【００３１】
風水情報データベースは九宮法ＤＢ、玄空風水ＤＢ、東西私宅ＤＢの中で少なくとも１つを含む。九宮法ＤＢは九宮法による縁起の良い引越し方向データベースを含む。玄空風水ＤＢは玄空風水理論による建物風水データベースまたは玄空風水理論による引越し方向データベースを含む。東西私宅ＤＢは東西私宅論による縁起の良い引越し方向データベースまたは東西私宅論／陰陽論／五行論による建物風水データベースを含む。
【００３２】
風水情報ソフトウェアは風水情報データベースをアクセスし風水情報を抽出するソフトウェアである。風水情報ソフトウェアは九宮法ＤＢをアクセスして九宮法による縁起の良い引越し方向を抽出するソフトウェア、東西私宅ＤＢをアクセスして東西私宅論による縁起の良い引越し方向を抽出するソフトウェア、玄空風水ＤＢをアクセスして玄空風水理論による縁起の良い引越し方向を抽出するソフトウェア、玄空風水ＤＢをアクセスして玄空風水理論による建物風水データを抽出するソフトウェア、東西私宅ＤＢをアクセスして東西私宅論／陰陽論／五行論による建物風水データを抽出するソフトウェアの中で少なくとも１つを含む。
【００３３】
（Ｉ）九宮法ＤＢ：  九宮法による縁起の良い引越し方向データベース
九宮法による縁起の良い引越し方向データベースは各年度の民暦データの中で引越し方位一覧表を含む。したがって、引越ししようとする年度の入力が必要である。
【００３４】
九宮法ＤＢを利用した縁起の良い引越し方向の風水情報処理過程は次のようである。
【００３５】
九宮法ＤＢは引越しする人本人の生年月日、性別、引越し年度を入力値として入手する。九宮法ＤＢを判断基準にして引越しする人本人の縁起の良い引越し方向を抽出する。
【００３６】
生年月日、性別、引越し年度を含む上記九宮法ＤＢの入力及び縁起の良い引越し方向を含む上記九宮法ＤＢの出力は地図モード／電子羅盤モード／文字／数字／絵の中で少なくとも１つによってマルチメディア機器に入力されるかディスプレー部に表示される。
【００３７】
（ＩＩ）東西私宅ＤＢ：  東西私宅論による縁起の良い引越し方向データベース
東西私宅論による縁起の良い引越し方向データベースは引越しする人の本命宮を把握するための本命宮データ（表２１、表２２）、本人の本命宮に対応する縁起の良い本命宮を表すデータ（表２３）、縁起の良い本命宮に対し縁起の良い引越し方位を抽出した引越し方位データ（表２４）を含む。
【００３８】
本命宮は陽宅風水で重視する概念とし、人の生年月日により九空図（坎、坤、辰、巽、中、乾、兌、艮、離）で生まれつきの本然の方位を意味する。本命宮は人の生年月日または性別による吉凶方向を意味する。
【００３９】
次の表は男の本命宮データであり男の中宮は坤宮である。
表２１
【００４０】
【表１】
2012185795.tif 000003
【００４１】
次の表は女の本命宮データであり女の中宮は艮宮である。
表２２
【００４２】
【表２】
2012185795.tif 000004
【００４３】
次の表は本人の本命宮に対応する縁起の良い本命宮を表すデータである。
表２３
【００４４】
【表３】
2012185795.tif 000005
【００４５】
次の表は縁起の良い本命宮に対し縁起の良い引越し方位を抽出したデータである。
表２４
【００４６】
【表４】
2012185795.tif 000006
【００４７】
東西私宅ＤＢを利用した縁起の良い引越し方向の風水情報処理過程は次のようである。
【００４８】
東西私宅ＤＢに引越しする人本人の生年月日と性別を入力値として入力する。東西私宅ＤＢを判断基準として引越しする人本人の本命宮に対応する縁起の良い本命宮を抽出した後、上記縁起の良い本命宮に対してアプリサーバー（１２０）、地図サーバー（１３０）、マルチメディア機器（１００）のマイクロコンピューター（１０５）またはメモリー部（１０３）に保存された縁起の良い引越し方向を抽出する。
【００４９】
生年月日と性別を含む上記東西私宅ＤＢの入力及び縁起の良い引越し方向を含む上記東西私宅ＤＢの出力は地図モード／電子羅盤モード／文字／数字／絵の中で少なくとも１つによってマルチメディア機器（１００）に入力されるかディスプレー部に表示される。
【００５０】
（ＩＩＩ）東西私宅ＤＢ：東西私宅論／陰陽論／五行論による建物風水データベース
東西私宅論／陰陽論／五行論による建物風水データベースは東西私宅論、陰陽論及び五行の中少なくとも１つを適用して、正門方向または建物の正面方向に対する縁起の良い奥座敷門の方位、奥座敷門の方位に対する縁起の良い奥座敷ベッド頭の方位、勉強ルーム門の方位に対する縁起の良い机／椅子の方位、正門方向または建物の正面方向に対する縁起の良い社長室門の方位及び社長室門の方位に対する縁起の良い社長机／椅子の方位を含む。
【００５１】
陽宅風水に関する陽宅三要の風水理論は、住宅または建物の構成要素である門、主（奥座敷）、台所の方位的配置を東西私宅論、陰陽論、五行の共存、相剋で察し吉凶を論ずる。東西私宅論、陰陽論、五行論は一度明堂と決めれば永遠に明堂と区分し、人が住んで福を受けた家は延年宅、生気宅、天乙宅、伏位宅と区分、災いを受け絶孫する家は六殺宅、五鬼宅、絶命宅、禍害宅と区分する。
【００５２】
次の表は風水情報ソフトウェアが東西私宅論／陰陽論／五行論に基づく東西私宅ＤＢをアクセスする時、住居用建物の玄関門、正門または建物の正面方位に対する縁起の良い奥座敷門の方位を判断した一実試例を表す。
表３１
【００５３】
【表５】
2012185795.tif 000007
【００５４】
次の表は風水情報ソフトウェアが東西私宅論／陰陽論／五行論に基づいた東西私宅ＤＢをアクセスする時、勉強ルーム門の方位に対する縁起の良い勉強ルーム机／椅子の方位を判断した一実試例を表す。
表３２
【００５５】
【表６】
2012185795.tif 000008
【００５６】
東西私宅ＤＢを利用した建物風水情報処理過程は次のようである。
【００５７】
住居用建物または営業用建物の正門、玄関門または建物の正面方位が東西私宅ＤＢに入力されれば、正面方位に対し縁起の良い奥座敷門方向または縁起の良い社長室門方向が東西私宅ＤＢを判断基準にして抽出され、東西私宅ＤＢから出力される縁起の良い奥座敷門方向または縁起の良い社長室門方向がディスプレー部に表示される。
【００５８】
これと同じく、奥座敷の中心に対する奥座敷門方位を東西私宅ＤＢに入力すれば奥座敷の中心に対する縁起の良い奥座敷ベッド方向が東西私宅ＤＢから出力され、勉強ルームの中心に対する勉強ルーム門方位を東西私宅ＤＢに入力すれば勉強ルームの中心に対する縁起の良い勉強ルーム机方向が東西私宅ＤＢから出力され、社長室の中心に対する社長室門方位を東西私宅ＤＢに入力すれば社長室の中心に対する縁起の良い社長室机方向が東西私宅ＤＢから出力される。
【００５９】
東西私宅ＤＢの入力及び出力は地図モード／電子羅盤モード／文字／数字／絵の中で少なくとも１つによってマルチメディア機器に入力されるかディスプレー部に表示される。
【００６０】
（ＩＶ）玄空風水ＤＢ：  玄空風水理論による引越し方向データベースまたは建物風水データベース
玄空風水による引越し方向データベースは引越ししようとする引越し年度の玄空風水による縁起の良い引越し方向を提供する。玄空風水ＤＢを利用した縁起の良い引越し方向の風水情報処理過程は次のようである。
【００６１】
玄空風水ＤＢは引越しする人本人の生年月日、性別、引越し年度を入力値として入手する。玄空風水ＤＢを判断基準にして引越しする人本人の縁起の良い引越し方向を計算する。生年月日、性別、引越し年度を含む上記玄空風水ＤＢの入力及び縁起の良い引越し方向を含む上記玄空風水ＤＢの出力は地図モード／電子羅盤モード／文字／数字／絵の中で少なくとも１つによってマルチメディア機器に入力されるかディスプレー部に表示される。
【００６２】
玄空風水理論による建物風水データベースは建物の坐向と完工年度によって住居用で縁起の良い建物になるための周辺の自然環境条件、縁起の良い大門の方位、縁起の良い奥座敷の方位、縁起の良い勉強ルームの方位、縁起の良いベッドの方位、縁起の良い机／椅子の方位を含む。そして、営業用で縁起の良い建物になるための周辺の自然環境条件、縁起の良い正門の方位、建物内部の縁起の良い方位を含む。
【００６３】
玄空風水理論による建物風水データベースは玄空風水理論に根拠して建物の坐向と完工年度によって作成された宅命盤が旺山旺向、双星会坐、双星会向、上山下水を含む玄空風水の四局の中でどこにあたるかによって住居用建物または業務用建物の風水情報を表示する。
【００６４】
玄空風水は構成図を基本に気の巡行または逆行を表示する’宅命盤’を現在陰宅／陽宅周辺の自然環境とともに解釈して吉凶を判断する。玄空風水は中国、香港、台湾、シンガポールなどで発展し、明堂であっても決まった期間中制限して明堂と区分する。宅命盤が  旺山旺向、上山下水、双星会向、双星会坐を含む玄空風水四局の中どこにあたるのか区分した後、宅命盤を解釈し周辺の自然環境と調和すれば吉な方向で、自然環境と調和しなければ凶な方向と判断する。
【００６５】
例えば、建物の坐向を電子羅盤モードで３５５．６−４．５度と入力すると建物の坐向は子坐午向下卦になる。建物の坐向とは建物の正門、玄関門または大門が向かう方向であり建物の正面が向かう方向である。特殊な場合、例えばアパートの場合、建物の正面方向はベランダの向かう方向になることがある。建物の完工年度を  ２００４年以後と入力すれば上記建物は８運（２００４−２０２３年）に完工された建物なので建物の宅命盤は玄空風水ＤＢによると次の表４１の通りである。
【００６６】
次の表は８運（２００４−２０２３年）に完工されたか完工される建物の子坐午向下卦の宅命盤である。
表４１
【００６７】
【表７】
2012185795.tif 000009
【００６８】
玄空風水ＤＢで風水情報を抽出した結果は次の通りである、
上記建物は８運に完工された建物で、上記宅命盤で午向側の山星と向星に８があるので玄空風水の四局中、双星会向である。
【００６９】
建物の坐向と完工年度を玄空風水ＤＢに入力し宅命盤の情報を得る。宅命盤情報を解釈すれば風水情報が出力される。上記例では宅命盤情報は双星会向である。宅命盤情報として双星会向は、建物の前に水が流れているか道路があって建物の前が低くなっており、その低い部分の後背景に山や高い建物があり、上記低い部分よりもっと高くなっていれば、建物及び建物周辺の自然環境がよく調和しており、財物が先に集まりその次に出世ができる建物という風水情報と解釈される。また、住居用建物よりは営業用として適合な建物であり、地運は１６０年、正門または玄関門方向は南側が良く、上記建物の正面方向に対して奥座敷門方向は北が良く、上記奥座敷門方向に対して勉強ルーム門方向は南西の方または西の方が良く、奥座敷ベッド方向は北が良く、勉強ルームの机／椅子方向は南西の方または西の方が良いという風水情報を出力する。
【００７０】
すなわち、玄空風水ＤＢに建物の完工年度または建物の坐向が入力されれば、玄空風水ＤＢから上記建物の宅命盤を抽出して上記宅命盤情報を解釈し建物の風水情報を出力する。
【００７１】
例えば建物の完工年度をキーパッドで入力するかディスプレー部に表示されるアイコンをクリックすれば建物の完工年度が入力される。そして、キー入力部（１０１）がＴＶリモートコントローラーの場合、キーパッドに入力されるすべての情報はＴＶリモコン上のボタン入力で入力可能である。
【００７２】
地図モードまたは電子羅盤モードが実行されて、現在地メニューなら建物が位置した現在地のＧＰＳ情報を建物の坐向情報として入力受け、他の場所メニューなら建物の住所を地図に表示して建物の坐向情報を入力する。建物の完工年度、建物の坐向を基準に宅命盤を抽出して、上記宅命盤情報を解釈して玄空風水ＤＢによる風水情報を出力する。
【００７３】
玄空風水ＤＢの入力及び出力は地図モード／電子羅盤モード／文字／数字／絵の中で少なくとも１つによってマルチメディア機器に入力されるかディスプレー部に表示される。
【００７４】
ディスプレー部に表示される風水情報は風水情報データベース、風水情報ソフトウェア、またはマルチメディア機器に保存され、使用者は保存された風水情報を次の風水情報の判断に利用するなど風水情報判断履歴を管理することができる。
【００７５】
以下本発明の実試例をもっと具体的に説明する。
図２は東西私宅ＤＢを利用して縁起の良い奥座敷門方向を表示する手順図である。図７は図２の使用者インターフェースを順次的に図示する。図３ないし図６の手順図に対する使用者インターフェースは略した。
【００７６】
先に、図２及び図７を参照して東西私宅ＤＢを活用した縁起の良い奥座敷門方向の表示過程を説明する。図２の参照符号’ＡＡ’に対しても図７で参照符号’ＡＡ１’ないし’ＡＡ３’で順次表示した。
【００７７】
風水情報ソフトウェアは東西私宅論／陰陽論／五行論による風水情報が保存された東西私宅ＤＢをアクセスして、電子羅盤モードを実行し、建物内部の中心から建物の正門方向または建物の正面方向の入力を受ける。風水情報ソフトウェアは、東西私宅ＤＢを判断基準にし建物内部の中心から建物の正門方向または建物の正面方向を入力情報として縁起の良い奥座敷門方向を出力する。
【００７８】
電子羅盤モードはマルチメディア機器に内蔵したＧＰＳを利用し、マルチメディア機器を羅針盤でシミュレーションするモードである。マルチメディア機器のディスプレー部には方向設定のための針が表示される。すなわち、電子羅盤モードは、ディスプレー部に針を表示し、マルチメディア機器を回転または移動させ針が任意の方向を示す時、針が示す方位をディスプレー部に表示するモードである。
図７を参照すれば、建物内部の中心からマルチメディア機器を手で握って回転させるか移動させて、ディスプレー部に表示された電子羅盤の針が建物の正門を示すようにすれば、建物の正面方向が入力される。本実試例では建物の正面方向として北東５９．６度が入力される。マルチメディア機器に設置された風水情報ソフトウェアは風水情報判断基準として東西私宅ＤＢをデフォルト（ｄｅｆａｕｌｔ）判断基準とし、建物の正面方向を東西私宅ＤＢに入力変数として入力し、建物内部の中心から縁起の良い奥座敷門方向を抽出する。これによって抽出された南西と西が縁起の良い奥座敷門方向としてディスプレー部に出力される。
【００７９】
これと同じく、図３は東西私宅ＤＢを利用して縁起の良い奥座敷門ベッド方向を表示する手順図である。東西私宅ＤＢをデフォルト（ｄｅｆａｕｌｔ）判断基準とし、電子羅盤モードを実行し、電子羅盤が表示されたマルチメディア機器を手で握って回転させるか移動させて、奥座敷中心から奥座敷門の方向を入力すれば縁起の良い奥座敷中心に対する奥座敷ベッド方向が出力値として表示される。
図４は東西私宅ＤＢを利用して縁起の良い勉強ルーム机方向を表示する手順図である。東西私宅ＤＢをデフォルト（ｄｅｆａｕｌｔ）判断基準とし、電子羅盤モードを実行し、マルチメディア機器を手で握って回転させるか移動させて電子羅盤の針が勉強ルーム中心から勉強ルーム門を示せば勉強ルーム門の方向が入力され、勉強ルーム中心に対する縁起の良い勉強ルーム机方向が出力値として表示される。
図５は東西私宅ＤＢを利用して縁起の良い社長室方向を表示する手順図である。東西私宅ＤＢをデフォルト（ｄｅｆａｕｌｔ）判断基準とし、電子羅盤モードを実行し、電子羅盤が表示されたマルチメディア機器を手で握って回転させるか移動させて建物の正面方向を入力すれば縁起の良い社長室方向が出力値として表示される。
図６は東西私宅ＤＢを利用して縁起の良い社長室机方向を表示する手順図である。東西私宅ＤＢをデフォルト（ｄｅｆａｕｌｔ）判断基準とし、電子羅盤モードを実行し、社長室中心でマルチメディア機器を手で握って回転させるか移動させて電子羅盤の針が社長室門を示せば社長室中心から社長室門の方向が入力され、社長室中心に対する縁起の良い社長室机方向が出力値として表示される。
図８ないし図１３は本発明の一実施例として、玄空風水ＤＢを利用して、多様な風水情報を表示するそれぞれの手順図である。玄空風水ＤＢを風水情報判断基準にする場合、建物の坐向、建物の完工年度を入力値とする。
【００８０】
建物の坐向とは、例えば建物が南向なのか、背山臨水なのかに関する情報を言う。本発明では電子羅盤モードでＧＰＳが装着されたマルチメディア機器を回転または移動させて電子羅盤の針が建物の正面を示す方法で建物の坐向を入力するか、地図モードで矢印を建物の位置に移動させ矢印を回転させて建物の正面方向を示す方法で建物の坐向を入力する。
【００８１】
ＧＰＳが内蔵したマルチメディア機器で現在地のＧＰＳ情報を風水情報ソフトウェアに入力することができる。マルチメディア機器でインターネット検索をするか、あらかじめ保存された地図情報をアクセスすれば、現在地の地図情報または他の場所の地図情報を風水情報ソフトウェアに入力することができる。
【００８２】
一実施例として、現在地メニューで現在地の地図をディスプレーする地図モードを実行する。地図モードで現在地に設置された建物の坐向を入力して完工年度を入力すれば、図８の様に住居用建物の風水情報を出力するか、図１１の様に業務用建物の風水情報を出力することができる。
【００８３】
一実施例として、ディスプレー部に電子羅盤が表示されるようにマルチメディア機器で電子羅盤モードを実行し、現在地でマルチメディア機器を回転させるか移動させて電子羅盤で建物の正面方向を示せば、現在地メニューで建物の坐向を風水情報ソフトウェアに入力することができる。完工年度が同じく入力されれば図９の住居用建物の風水情報が出力され、図１２の業務用建物の風水情報が出力される。
【００８４】
一実施例として、マルチメディア機器が位置した現在地ではなく他の場所に存在する建物の坐向を入力しようとする場合、マルチメディア機器のディスプレー部に該当の建物が存在する住所の地図をディスプレーする地図モードを実行する。地図モードは特定住所に存在する建物と建物周辺の地図を表示する。地図モードに表示された矢印をクリックまたはドラッグして建物の正面方向と一致させれば、他の場所メニューで建物の坐向を風水情報ソフトウェアに入力することができる。完工年度が同時に入力されれば図１０の住居用建物の風水情報が出力され、図１３の業務用建物の風水情報が出力される。
図８、図９及び図１０の手順図を具現した使用者インターフェースを図１４、図１５及び図１６にそれぞれ図示した。図８で参照符号’ＢＢ’に表示された手順図は図１４で参照符号’ＢＢ１’ないし’ＢＢ４’の順次なインターフェースを経て実行される。図９で参照符号’ＣＣ’に表示された手順図は図１５の使用者インターフェースを経て順次実行される。図１０の参照符号’ＤＤ’に表示された手順図の場合も同様である。
図８及び図１４を参照すれば、玄空風水ＤＢがデフォルト（ｄｅｆａｕｌｔ）判断基準に設定され、建物の種類として住居用建物がデフォルトに指定され、現在地メニュー及び地図モードがデフォルトに実行される。図１４で建物の完工年度を入力し、マルチメディア機器が位置した現在地で地図モードが実行され現在地の地図が表示される。現在地の地図の上に表示された矢印をクリックまたはドラッグして建物の正面方向をセッティングすれば現在地に位置した建物の正面方向が入力される。住居用建物の坐向と完工年度が入力されたので、建物中心を基準に住居用建物の縁起の良い勉強ルーム方向、住居用建物の縁起の良い奥座敷方向、住居用建物の縁起の良い大門方向が出力される。建物の正面方向を示すことで建物の坐向を入力するのを建物の’正面セッティング’または’正門セッティング’とも表現した。
図９及び図１５を参照すれば、玄空風水ＤＢがデフォルト（ｄｅｆａｕｌｔ）判断基準に設定され、建物の種類として住居用建物がデフォルトに指定され、現在地メニュー及び電子羅盤モードがデフォルトに実行される。図１５で建物の完工年度を入力し、マルチメディア機器が位置した現在地で電子羅盤モードを実行すれば現在地で電子羅盤が表示される。ＧＰＳ信号が弱い場合、地図表示が難しいことがあるが、電子羅盤表示は地図に比べ相対的に容易である。ＧＰＳが内蔵したマルチメディア機器を手で握って回転させるか移動させて電子羅盤の針が建物の正面方向を示すようにセッティングすれば、現在地に位置した建物の正面方向が入力される。住居用建物の坐向と完工年度が入力されたので、建物中心を基準に住居用建物の縁起の良い勉強ルーム方向、住居用建物の縁起の良い奥座敷方向、住居用建物の縁起の良い大門方向が出力される。
図１０及び図１６を参照すれば、玄空風水ＤＢがデフォルト（ｄｅｆａｕｌｔ）判断基準に設定され、住居用建物がデフォルトに指定され、他の場所メニュー及び地図モードがデフォルトに実行される。図１５で建物の完工年度が入力され、地図モードで他の場所の住所を入力すれば該当の住所の地図が表示される。地図の上の矢印で建物の正面方向をセッティングすれば他の場所にある建物の風水情報が出力される。
【００８５】
次は縁起の良い引越し方向判断に対し具体的に説明する。
図１７は九宮法ＤＢを利用して引越し方向を表示する手順図を表示し、図１９は使用者インターフェースを図示する。引越し方向の判断基準として九宮法ＤＢがデフォルトに設定されるので、誕生日／引越し年度／性別を入力値に指定すれば、縁起の良い引越し方向が出力値として地図に表示される。地図モードでズームイン、ズームアウトすれば望む領域を表示することができる。
図１８は東西私宅ＤＢを利用して引越し方向を表示する手順図を表示し、図２０は使用者インターフェースを図示する。引越し方向の判断基準として東西私宅ＤＢがデフォルトに設定されるので、引越し年度は除いて生年月日／性別を入力値に指定すれば、縁起の良い引越し方向が出力値として地図に表示される。地図モードでズームイン、ズームアウトすれば縁起の良い引越し方向領域をもっと詳しく見ることができる。
【００８６】
引越し方向判断は図１７ないし図２０に表示された実試例に限定されないで九宮法ＤＢ、玄空私宅ＤＢは勿論、玄空風水ＤＢを基準にした引越し方向判断も可能であり、これらの実試例を多数のメニュー選択項目に包括したことで図２１ないし図２９に表示される引越し方向を判断する風水情報ソフトウェアをあげることができる。その他にも引越し方向風水情報提供のための他の風水情報ＤＢの活用も可能であり、玄空風水ＤＢによるが住所入力による他の場所での縁起の良い引越し方向判断も可能である。
図２１ないし図２４は本発明の一実施例として、多様な選択メニューが提供される風水情報ソフトウェアの手順図である。図２１ないし図２４を参照すれば、前に説明した風水情報の個別モジュールを皆包括するよう多様なオプションを提供し、選択事項によって希望する風水情報を出力するように風水情報ソフトウェアが構成される。
【００８７】
第１判断部は、建物風水情報を出力値にする建物風水メニュー及び縁起の良い引越し方向を出力値にする引越し方向メニューの中、いずれが選択されたのか判断する。第１判断部で引越し方向メニューが選択された場合は図２２に表し、建物風水メニューが選択された場合は図２１に図示される。
【００８８】
第２判断部は、住居用建物に対する風水情報を出力値にする住居用メニュー及び業務用建物に対する風水情報を出力値にする業務用メニューの中、いずれが選択されたのか判断する。第２判断部で業務用メニューが選択された場合は図２３に表し、住居用メニューが選択された場合は図２１に図示される。
【００８９】
第３判断部は、風水情報の判断基準として東西私宅ＤＢを利用する東西私宅メニュー及び玄空風水ＤＢを利用する玄空風水メニューの中、いずれが選択されたのか判断する。東西私宅メニューが選択される場合、完工年度の入力が不必要である。また、東西私宅メニューが選択される場合、現在地メニューがデフォルトに実行される。他の場所メニューの選択事項は省略される。第３判断部で玄空風水メニューが選択された場合は、図２４に表し、東西私宅メニューが選択された場合は図２１に表した。
【００９０】
第４判断部は、引越し方向メニュー選択の時、縁起の良い引越し方向の判断基準として九宮法ＤＢを利用する九宮法メニュー及び上記東西私宅ＤＢを利用する上記東西私宅メニューの中、いずれが選択されたのか判断する。第４判断部は図２２に図示される。
【００９１】
風水情報データベースまたは風水情報ソフトウェアは上記第１判断部ないし第４判断部の中で少なくとも１つを具備して、各判断部の選択によって各メニューの選択に対応される入力値に合った風水情報をディスプレー部に出力する。
【００９２】
一実施例として、玄空風水メニューの場合完工年度の入力が必ず必要であり、現在地はもちろん他の場所メニューの選択が可能である。玄空風水メニューで他の場所メニューが選択されれば、他の場所に関する情報の入力を要するので、地図モードが実行され住所入力を要請し、該当の住所に位置した建物の正面方向の入力を要する。
【００９３】
以上で本発明による実試例が説明されたが、これは例示的なことに過ぎず、該当分野で通常的知識を持った者ならこれにより多様な変形及び均等な範囲の実試例が可能だという点を理解することである。したがって、本発明の真正な技術的保護範囲は特許請求範囲によって決まらなければならない。
【図１】
2012185795.tif 000010
【図２】
2012185795.tif 000011
【図３】
2012185795.tif 000012
【図４】
2012185795.tif 000013
【図５】
2012185795.tif 000014
【図６】
2012185795.tif 000015
【図７】
2012185795.tif 000016
【図８】
2012185795.tif 000017
【図９】
2012185795.tif 000018
【図１０】
2012185795.tif 000019
【図１１】
2012185795.tif 000020
【図１２】
2012185795.tif 000021
【図１３】
2012185795.tif 000022
【図１４】
2012185795.tif 000023
【図１５】
2012185795.tif 000024
【図１６】
2012185795.tif 000025
【図１７】
2012185795.tif 000026
【図１８】
2012185795.tif 000027
【図１９】
2012185795.tif 000028
【図２０】
2012185795.tif 000029
【図２１】
2012185795.tif 000030
【図２２】
2012185795.tif 000031
【図２３】
2012185795.tif 000032
【図２４】
2012185795.tif 000033